(57)【要約】【課題】今までに表示されたウェブページを一覧し、このうちの所望のウェブページに瞬時に戻ることができるウェブコンテンツ提示装置及びプログラムを提供することを目的とする。【解決手段】ネットワークを介して、ウェブコンテンツを閲覧できる提示装置であって、ウェブページを指定する情報であるウェブページ指定情報を記録するウェブページ指定情報記録手段と、上記ウェブページ指定情報を、ウェブページが表示された順番に、上記ウェブコンテンツとともに表示するウェブページ指定情報表示手段とを有することを特徴とするウェブコンテンツ提示装置である。【選択図】図１
2010165262.tif 000002
【特許請求の範囲】
【請求項１】
ネットワークを介して、ウェブコンテンツを閲覧できる提示装置であって、
ウェブページを指定する情報であるウェブページ指定情報を記録するウェブページ指定情報記録手段と；
上記ウェブページ指定情報を、ウェブページが表示された順番に、上記ウェブコンテンツとともに表示するウェブページ指定情報表示手段と；
を有することを特徴とするウェブコンテンツ提示装置。
【請求項２】
請求項１において、
記録したいウェブページを指定する情報を、ユーザが指定する手段を有し、
上記ユーザが指定したウェブページの履歴を、他のウェブページの履歴とは区別できる態様で表示することを特徴とするウェブコンテンツ提示装置。
【請求項３】
請求項１または請求項２において、
ウェブページを表示している時間を計測する手段を有し、
表示時間が最長であるウェブページの上記ウェブページ指定情報を、他のウェブページの上記ウェブページ指定情報とは区別できる態様で表示することを特徴とするウェブコンテンツ提示装置。
【請求項４】
請求項１〜請求項３のいずれか１項において、
ウェブページを表示している時間を計測する手段を有し、
表示時間に応じて、他のウェブページの上記ウェブページ指定情報とは区別できる態様で表示することを特徴とするウェブコンテンツ提示装置。
【請求項５】
請求項１〜請求項４のいずれか１項において、
上記ウェブページ指定情報とを表示する手段は、リンクテキストのリストを表示する手段であることを特徴とするウェブコンテンツ提示装置。
【請求項６】
請求項１〜請求項４のいずれか１項において、
上記他のウェブページの上記ウェブページ指定情報とは区別できる態様で表示する手段は、ウェブページ指定情報のフォントや文字の大きさ等の表示方法を変更する手段であることを特徴とするウェブコンテンツ提示装置。
【請求項７】
請求項１〜請求項４のいずれか１項において、
上記ウェブページ指定情報を記録したウェブページを指定する情報は、ウェブページのサムネイルのリストであることを特徴とするウェブコンテンツ提示装置。
【請求項８】
請求項２〜請求項４のいずれか１項において、
上記他のウェブページの上記ウェブページ指定情報とは区別できる態様で表示する手段は、ウェブページのサムネイルの大きさを変更する手段であることを特徴とするウェブコンテンツ提示装置。
【請求項９】
請求項１〜請求項９のいずれか１項記載のウェブコンテンツ提示装置を構成する各手段としてコンピュータを機能させるプログラム。
【発明の詳細な説明】
【技術分野】
【０００１】
本発明は、ウェブコンテンツの表示ウェブページの情報を取得し、既に表示された範囲を表示し、そこへ容易に戻ることができるようにするウェブコンテンツ提示装置に関する。
【背景技術】
【０００２】
インターネット社会の進展に伴い、インターネットを介したウェブコンテンツ等による情報取得の機会が増えてきた。これに伴い、ウェブのアクセシビリティの重要性が叫ばれている。上記アクセシビリティは、ウェブコンテンツにアクセスできるようにすることである。上記アクセシビリティを実現する場合、音声ブラウザシステム等、文字を音声に変換して情報を伝える発明が知られている（たとえば、特許文献１参照）。
【０００３】
一方、一般のブラウザについてもいくつか工夫がされている。文字を読みやすくするために、文字の大きさを変更する機能が、ブラウザに付いている。文字の大きさの設定を切り替えると、文字の大きさが変更され、ユーザの望む大きさでウェブコンテンツを閲覧することができる。また、ウェブコンテンツの見栄えを設定するスタイルシートを、ユーザ独自のスタイルシートに設定することもできる。さらに、Ｗｉｎｄｏｗｓ（登録商標）ＯＳ等では、ユーザ補助の機能があり、主に弱視ユーザ向けに、表示色を変更するハイコントラスト機能等が知られている。このように文字が見えるかどうか等、知覚的な見やすさに関する工夫が行われている。
【０００４】
しかし、知覚的に文字が見えたとしても、認知的な問題が残る。たとえば、過去に表示したウェブページを記憶する必要がある場合、この記憶を支援する仕組みは重要視されていない。このような知覚的な問題以外に、認知的な問題を支援する仕組みが求められている。
【先行技術文献】
【特許文献】
【０００５】
【特許文献１】特開平１１−２４９８６７号公報
【発明の概要】
【発明が解決しようとする課題】
【０００６】
ネットサーフィンと呼ばれるように、複数のウェブコンテンツを次から次へと表示し、閲覧することが、ウェブでは行われている。リンクを辿ることによって、１つのウェブページから次のウェブページへ遷移した後に、１つ前のウェブページに戻る場合、次の２つの方法がある。
【０００７】
１つ目の方法は、ウェブコンテンツ上のリンクを辿る方法である。たとえば、ある会社のウェブサイトのトップウェブページから、その会社が扱う商品のウェブページに移動したときに、そのウェブサイトのトップウェブページへのリンクを辿ることによって、前のウェブページに戻る方法である。
【０００８】
２つ目の方法は、ブラウザの「戻る」ボタンを使う方法である。ブラウザの「戻る」ボタンを押下すると、１つ前のウェブページを表示させることができる。
【０００９】
いろいろなウェブページを閲覧しているうちに、どこのウェブページを見ているかわからなくなり、現在位置がわからなくなることがある。これを防止するために、パンくずリストやナビゲーションバーを用意することがある。しかし、どのウェブページを経由して、現在表示されているウェブページまで辿り着いたかを、ユーザが自分の頭で憶えておくことは、非常に負荷がかかる。
【００１０】
しばしば、現在位置がわからなくなり、ブラウザそのものを終了してしまうことがある。つまり、現在位置が分からないことに加え、現在のウェブページの表示が行われるまでに閲覧した複数のウェブページを憶えておくことが難しいという問題がある。特に、高齢者等、記憶力が弱いユーザにとっては、大きな問題である。今までに表示されたウェブページを一覧し、所望のウェブページまで瞬時に戻れるようにする方法が必要である。
【００１１】
本発明は、今までに表示されたウェブページを一覧し、このうちの所望のウェブページに瞬時に戻ることができるウェブコンテンツ提示装置及びプログラムを提供することを目的とする。
【課題を解決するための手段】
【００１２】
本発明は、ネットワークを介して、ウェブコンテンツを閲覧できる表示装置であって、表示したウェブページを指定する情報を記録するウェブページ指定情報記録手段と、上記ウェブページ指定情報を、ウェブページが表示された順番に表示するウェブページ指定情報表示手段とを有するウェブコンテンツ提示装置である。
【発明の効果】
【００１３】
本発明によれば、現在までに表示した閲覧履歴をブラウザに表示することができ、これによって、今まで閲覧したウェブページを、ユーザが自分の頭で記憶するという負荷を軽減することができるという効果を奏する。
【００１４】
また、本発明によれば、ウェブページの移動前と移動後との履歴表示領域リストが変化するので、ウェブページが移動したにも関わらず、移動していないと思い、混乱し誤操作することを避けることができるという効果を奏する。
【図面の簡単な説明】
【００１５】
【図１】本発明の実施例１であるウェブコンテンツ提示装置１００を示すブロック図である。
【図２】ウェブコンテンツ提示装置１００の動作を示すフローチャートである。
【図３】表示履歴データの例を示す図である。
【図４】実施例１において、情報出力部１７が、ウェブページタイトルを履歴表示領域２２に表示している例を示す図である。
【図５】表示履歴データベースを示す図である。
【図６】表示履歴データベースを示す図である。
【図７】表示履歴データベースを示す図である。
【図８】表示履歴装置２００における表示履歴データベースの内容例を示す図である。
【図９】ウェブコンテンツ提示装置２００の画面表示例を示す図である。
【発明を実施するための形態】
【００１６】
発明を実施するための最良の形態は、以下の実施例である。
【実施例１】
【００１７】
図１は、本発明の実施例１であるウェブコンテンツ提示装置１００を示すブロック図である。
【００１８】
ウェブコンテンツ提示装置１００は、ウェブブラウザに組み込んだ例であり、ローカルのＰＣ内に設けられ、インターネット等を介して受信した情報を表示する装置である。つまり、ウェブコンテンツ提示装置１００は、ネットワークＮＷ１を介して、ウェブサーバＷＳ１と通信し、ウェブコンテンツを受信し表示する。
【００１９】
ウェブコンテンツ提示装置１００は、情報入力部１１と、制御部１２と、送受信部１３と、情報解析部１４と、情報蓄積部１５と、情報構成部１６と、情報出力部１７とを有する。
【００２０】
ウェブコンテンツ提示装置１００をパーソナルコンピュータ（ＰＣ）で実現する場合、制御部１２、送受信部１３、情報解析部１４、情報蓄積部１５、情報構成部１６は、ＰＣ本体に対応し、情報入力部１１は、キーボード、マウスの入力装置に対応し、情報出力部１７は、ディスプレイやスピーカに対応する。
【００２１】
情報蓄積部１５は、ウェブページを指定する情報であるウェブページ指定情報を記録するウェブページ指定情報記録手段の例である。なお、ウェブページを指定する場合、表示したウェブページを指定してもよく、また、ウェブページを表示せずにＵＲＬ、ディレクトリ等で指定するようにしてもよい。
【００２２】
情報出力部１７は、上記ウェブページ指定情報を、ウェブページが表示された順番に、上記ウェブコンテンツとともに表示するウェブページ指定情報表示手段との例である。
【００２３】
そして、上記ユーザが指定したウェブページの履歴を、他のウェブページの履歴とは区別できる態様で表示する。制御部１２は、ウェブページを表示している時間を計測する手段の例である。上記実施例では、表示時間が最長であるウェブページの履歴を、他のウェブページの履歴とは区別できる態様で表示する。また、表示時間に応じて、他のウェブページの履歴とは区別できる態様で表示する。
【００２４】
上記記録したウェブページを指定する情報を表示する手段は、リンクテキストのリストを表示する手段である。また、上記他のウェブページの履歴とは区別できる態様で表示する手段は、ウェブページ指定情報のフォントを変更する手段である。
【００２５】
上記記録したウェブページを指定する情報は、ウェブページのサムネイルのリストである。上記他のウェブページの履歴とは区別できる態様で表示する手段は、ウェブページのサムネイルの大きさを変更する手段である。
【００２６】
次に、ウェブコンテンツ提示装置１００の動作について説明する。
【００２７】
図２は、ウェブコンテンツ提示装置１００の動作を示すフローチャートである。
【００２８】
まず、Ｓ１で、情報入力部１１のキーボードからＵＲＬを入力し、この入力したＵＲＬを持つサーバにアクセスする。または、リンク部分をクリックし、このＵＲＬを持つサーバにアクセスする。
【００２９】
続いて、Ｓ２で、ネットワークＮＷ１を介して入力されたＵＲＬのウェブサーバＷＳ１と、制御部１２とが通信し、ウェブコンテンツを、送受信部１３が受信する。Ｓ３で、受信したウェブコンテンツとそのＵＲＬとを、情報蓄積部１５に記録し、情報出力部１７が、情報をレンダリングし、ディスプレイに表示する。
【００３０】
続いて、Ｓ４で、情報蓄積部１５に記録された表示履歴を、情報解析部１４が読み出し、履歴データを、情報蓄積部の履歴表示領域２２（図４）に表示する。
【００３１】
図３は、表示履歴データの例を示す図である。
【００３２】
図３における表示順序が６番目の「ソフトのインストールについて」のウェブページが現在、表示されているとする。この場合、１番目から６番目の履歴が、履歴表示領域２２（図４）に表示される。
【００３３】
図４は、実施例１において、情報出力部１７が、ウェブページタイトルを履歴表示領域２２に表示している例を示す図である。
【００３４】
情報出力部１７は、コンテンツ表示領域２１と、履歴表示領域２２とを有し、履歴記録ボタン２３を表示している。
【００３５】
履歴記録ボタン２３は、記録したいウェブページを指定する情報を、ユーザが指定する手段の例である。
【００３６】
履歴表示領域２２には、ウェブページのタイトルリストが書いてある。これらのウェブページのタイトルは、リンクテキストであり、図３に示すＵＲＬへリンクが設定されている。ただし、表示順序が６番目であるウェブページは現在表示されているウェブページであるので、リンクを設定しない。表示時間が計測されていないウェブページは、「リンク無」であると判断すると、６番目のウェブページは、リンクが設定されない。このウェブページタイトルはフォントの大きさを、「中」で表示する。なお、表示中のウェブページの履歴は、図５に示すデータベースにも記録する。
【００３７】
図５は、表示履歴データベースを示す図である。
【００３８】
表示順序１、２、４、５については、フォントの大きさを「中」とし、図３に示すＵＲＬへのリンクを設定する。表示順序が３番目のウェブページについては、現在までの最長時間で、閲覧されたウェブページであり、フォントの大きさを「大」とし、太字で表示する。リンクも設定する。この最長時間表示されたウェブページについては、図５に示すデータベースにも記録しておく。
【００３９】
このように、表示された順序に、１から６の番号が付いているが、図４にも、その番号を表示する。さらに、どちらが最新であるかを示すことによって、６番が最新であることが分かるようにする。これによって、１番から６番へと進むに従って、より新しいウェブページを表示していることが分かる。
【００４０】
なお、上記のような履歴表示領域２２を常に表示することによって、ユーザは、履歴情報を容易に利用することができる。なお、履歴表示領域２２の面積は限られているので、この領域に表示することができる履歴を示す項目数も限られる。そこで、表示する最大の項目数を、予め情報蓄積部１５に記録し、表示する最大の項目数に応じて表示すればよい。また、ウィンドウの大きさによっても、履歴表示領域２２の面積が変化するので、それに応じて表示するようにしてもよい。
【００４１】
Ｓ５で、ユーザが、そのウェブページをどの程度深く読んでいたかを判断するために、時間の計測を開始する。長く読んでいたウェブページは、強く記憶されると考えられる。
【００４２】
Ｓ６で、ユーザが別のウェブページに移動したかどうかを判定する。すなわち、情報入力部１１で、リンクをクリックしたり、ＵＲＬを入力した場合、Ｓ７に進み、表示時間の計測を終了する。ユーザが別のウェブページに移動していない場合、Ｓ６の判定を繰り返す。なお、履歴表示領域２２の履歴リストにも、リンクが設定され、それらをクリックすることによって、別のウェブページに移動することができる。
【００４３】
次に、Ｓ８で、計測した表示時間がそれまでの最長の表示時間よりも長いかどうかを判断する。
【００４４】
図５に示す表示履歴データベースにおいて、最長時間として書かれている５０秒３３と比較する。計測された表示時間が５０秒３３よりも長ければ、Ｓ９に進む。なお、表示されたウェブページが最初のウェブページであれば、最長表示のデータがないが、最長時間が０秒であるとして処理を進める。
【００４５】
Ｓ９では、情報蓄積部１５に記録され、図５に示す表示履歴データベースを書き換える。図３に示すデータベースにおいて、それまで表示時間が最大であった表示順序が３番目のフォント設定を、「中、リンク有」に変更する。上記「中」は、フォントの大きさが中程度であることを示す。
【００４６】
Ｓ１０で、計測時間の最長時間として、情報蓄積部１５に蓄積され、図５に示すデータベースを書き換える。
【００４７】
図６は、表示履歴データベースを示す図である。
【００４８】
ここで、表示順序が６番目であるウェブページの表示時間が、５５秒２２になり、最長になったとすると、図５に示すデータを書き換え、図６に示すようなデータとなる。
【００４９】
図７は、表示履歴データベースを示す図である。
【００５０】
このようにして、データを書き換えた結果、図３に示すデータが、図７に示すデータに変化する。図７では、表示時間が最長であるウェブページは、表示順序が６番目のウェブページであり、この部分だけ、フォントが大きく、太字で表示される。この状態で、Ｓ２に戻り、表示順序が７番目のウェブコンテンツを送受信部１３が受信する。
【００５１】
一方、Ｓ８で計測された時間が最長表示時間よりも短ければ、図５に示す最長表示時間を示すデータに変更がないので、Ｓ２に戻る。
【００５２】
このようにして、表示時間が最長であるウェブページのタイトルを、太字等で区別し、履歴を表示することができる。ユーザは、履歴表示領域２２に表示されているリンクテキストを見て、今までに表示された履歴を知ることができる。また、表示時間が最長であるウェブページへのリンクテキストを大きく表示することによって、そのウェブページに戻ることが容易である。そのために、記憶が鮮明なウェブページまで戻ることが容易である。
【実施例２】
【００５３】
本発明の実施例２であるウェブコンテンツ提示装置２００は、ローカルのＰＣ内に設けられ、インターネット等を介して送られた情報を表示する実施例である。
【００５４】
履歴提示装置２００は、テキストリンクを表示するのではなく、サムネイルを表示する。
【００５５】
なお、上記「サムネイル」は、そのウェブコンテンツを写真に撮り、小さくした画像である。
【００５６】
実施例２であるウェブコンテンツ提示装置２００の動作は、実施例１であるウェブコンテンツ提示装置１００と、基本的には同様である。
【００５７】
図８は、表示履歴装置２００における表示履歴データベースの内容例を示す図である。
【００５８】
情報蓄積部１５に蓄積されるデータは、図３ではなく図８に示す例である。すなわち、表示履歴装置２００における表示履歴データベースでは、フォントを設定するのではなく、サムネイル自体を設定し、記録する。つまり、サムネイルの大きさを設定する。サムネイル画像は、Ｓ３で、ウェブコンテンツを情報蓄積部１５に蓄積する際に、情報出力部１７が表示する画像をキャプチャし、画像化し、保存すればよい。
【００５９】
図９は、ウェブコンテンツ提示装置２００の画面表示例を示す図である。
【００６０】
ウェブページが表示された順番１〜６が、サムネイルＳＮ１〜ＡＮ６とともに記載されている。順番は、１から６まであり、順番６が最新のウェブページであることが分かるように、「新しい」、「古い」の表示とともに示される。この履歴表示領域２２も、常にユーザに表示され、利用される。
【実施例３】
【００６１】
本発明の実施例３であるウェブコンテンツ提示装置３００は、ローカルのＰＣ内に設けられ、インターネット等を介して送られた情報を表示する実施例である。
【００６２】
ウェブコンテンツ提示装置１００、２００では、表示時間が最長であるウェブページを、情報蓄積部１  ウェブコンテンツ提示装置１００、２００では、表示時間が最長であるウェブページがよく記憶されていると考え、その部分を手がかりにすると、ウェブページの移動が容易であるという考えから、表示時間が最長であるウェブページのデータを記録する。これに対して、ウェブコンテンツ提示装置３００では、手がかりになるウェブページをユーザが選択できるようにしている。すなわち、ウェブコンテンツ提示装置１００、２００では、表示時間が最長であるウェブページを、情報蓄積部１５に自動的に記録するが、ウェブコンテンツ提示装置３００では、ユーザが履歴記録ボタン２３を押したときに、表示ウェブページ指定情報を情報蓄積部１５に記録する。
【００６３】
図２に示すフローチャートにおいて、Ｓ５〜Ｓ１０で、最長時間のデータを計測し、判断し、記録するが、ウェブコンテンツ提示装置３００では、このようにする代わりに、ユーザが図４に示す履歴記録ボタン２３を押す。ウェブコンテンツ提示装置３００において、図５に示すデータベースの種別が、最長表示である代わりに、ユーザ指定であるとして、記録する。
【００６４】
履歴記録ボタン２３が複数回押された場合、図５に示すデータベースに追記するようにしてもよい。または、最新のデータのみを保存するようにしてもよい。
【００６５】
このようにすることによって、図４に示すと同様の履歴表示を行うが、図４では、図３に示す「３．××ソフト詳細」というウェブページは、ユーザが履歴記録ボタン２３を押して記録したウェブページである。このようにすれば、ここまで戻れば操作ができるというウェブページを記録しておくことができる。なお、ユーザが履歴記録ボタン２３を複数回押すことが考えられるので、履歴表示領域２２に表示する履歴は、ユーザが指定したものだけに絞るようにしてもよい。また、実施例２と同様に、サムネイルを使用し、図９に示すように表示するようにしてもよい。
【００６６】
なお、上記実施例をプログラムの発明として把握することができる。つまり、上記実施例であるウェブコンテンツ提示装置を構成する各手段としてコンピュータを機能させるプログラムを想定することができる。
【００６７】
本発明は、ユーザが辿ったウェブページの履歴を、リンクテキストやサムネイル等で表し、リスト化するので、そのユーザがどのウェブページを見てきたかを簡単に理解できる。
【００６８】
これらのリンクテキストやサムネイルを、ブラウザ上に常時表示することによって、ユーザが簡単に参照できる。
【００６９】
上記実施例において、上記ウェブページ指定情報を、ウェブページが表示された順番に表示するウェブページ指定情報表示手段によって、現在までに表示した閲覧履歴をブラウザに表示することができる。
【００７０】
上記実施例によれば、ウェブページの移動前と移動後との履歴表示領域リストが変化するので、ウェブページが移動したにも関わらず、移動していないと思い、混乱し誤操作することを避けることができる。つまり、本特許出願の発明者らが行ったシニアユーザのウェブ操作の実験では、リンクをクリックし、別のウェブページが表示されていること（ウェブページが移動していること）に気がつかないユーザがあり、これがシニアユーザの特徴であると考えられる。同じようなウェブページが表示される場合には、特に注意が必要である。この場合、ウェブページの移動前と移動後との履歴表示領域リストが変化するので、ウェブページが移動したにも関わらず、移動していないと思い、混乱し誤操作することを避けることができる。
【符号の説明】
【００７１】
ＷＳ１…ウェブサーバ、
１００、２００、３００…ウェブコンテンツ提示装置、
１１…情報入力部、
１２…制御部、
１３…送受信部、
１４…情報解析部、
１５…情報蓄積部、
１６…情報構成部、
１７…情報出力部、
２１…献店部表示領域、
２２…履歴表示領域、
２３…履歴記録ボタン。
【図１】
2010165262.tif 000003
【図２】
2010165262.tif 000004
【図３】
2010165262.tif 000005
【図５】
2010165262.tif 000006
【図６】
2010165262.tif 000007
【図７】
2010165262.tif 000008
【図８】
2010165262.tif 000009
【図４】
2010165262.tif 000010
【図９】
2010165262.tif 000011